(57)【要約】【課題】  試験時間を短縮することの可能な放送システムを提供すること。【解決手段】  実施形態によれば、放送システムは、作成部と、制御部と、試験期間短縮部とを具備する。作成部は、与えられた放送プログラムに従って放送関連機器を状態遷移させるための制御情報と当該制御情報の送出時刻とを計算し、当該放送プログラムを反映する制御スケジュールを作成する。制御部は、制御スケジュールに基づいて放送関連機器を制御する。試験期間短縮部は、試験環境下での状態遷移の時間間隔を短縮すべく、計算された制御情報の送出タイミングを可変制御する。【選択図】  図４
2018046401.tif 000002
【特許請求の範囲】
【請求項１】
与えられた放送プログラムに従って放送関連機器を状態遷移させるための制御情報と当該制御情報の送出時刻とを計算し、当該放送プログラムを反映する制御スケジュールを作成する作成部と、
前記制御スケジュールに基づいて前記放送関連機器を制御する制御部と、
試験環境下での前記状態遷移の時間間隔を短縮すべく、前記計算された制御情報の送出タイミングを可変制御する試験期間短縮部とを具備する、放送システム。
【請求項２】
前記放送関連機器にマスタ時刻を供給する時計ノードを備え、
前記試験期間短縮部は、前記マスタ時刻を適応的に進めて前記時間間隔を短縮する、請求項１に記載の放送システム。
【請求項３】
前記試験期間短縮部は、
前記制御スケジュールにおいて前記制御情報の送出時刻が規定間隔を超えるポイントを抽出する抽出部と、
前記抽出されたポイントに係わる制御情報の送出時刻を前倒しして前記制御スケジュールを改変する改変部とを備える、請求項１に記載の放送システム。
【請求項４】
前記試験期間短縮部は、ユーザの介入を要するイベントの待機期間を確保したうえで前記制御情報の送出タイミングを可変制御する、請求項１に記載の放送システム。
【請求項５】
放送システムの試験方法であって、
コンピュータが、与えられた放送プログラムに従って放送関連機器を状態遷移させるための制御情報と当該制御情報の送出時刻とを計算することと、
コンピュータが、前記放送プログラムを反映する制御スケジュールを作成することと、
コンピュータが、前記制御スケジュールに基づいて前記放送関連機器を制御することと、
コンピュータが、試験環境下での前記状態遷移の時間間隔を短縮すべく、前記計算された制御情報の送出タイミングを可変制御することとを含む、試験方法。
【請求項６】
前記コンピュータは、前記放送関連機器にマスタ時刻を供給する時計ノードから供給される前記マスタ時刻を適応的に進めて前記時間間隔を短縮する、請求項５に記載の試験方法。
【請求項７】
前記コンピュータは、
前記制御スケジュールにおいて前記制御情報の送出時刻が規定間隔を超えるポイントを抽出し、
前記抽出されたポイントに係わる制御情報の送出時刻を前倒しして前記制御スケジュールを改変する、請求項５に記載の試験方法。
【請求項８】
前記コンピュータは、ユーザの介入を要するイベントの待機期間を確保したうえで前記制御情報の送出タイミングを可変制御する、請求項５に記載の試験方法。
【請求項９】
請求項５乃至８のいずれか１項に記載の方法をコンピュータに実行させるための命令を含む、プログラム。
【発明の詳細な説明】
【技術分野】
【０００１】
本発明の実施形態は、放送システムを試験する技術に関する。
【背景技術】
【０００２】
放送システムなどの社会インフラは、実稼働前に多様な試験をパスすることを求められる。例えば、開発対象のアプリケーション（ソフトウェア）が組み込み機器（embedded device）において正常に機能するかを試験することは、重要である。しかしソースコードのバグ取り（Bug Fix）や、あらゆる状況を想定して機器の挙動を検証することはシステムが巨大化するにつれ困難になる。近年の在京放送局には大規模なデジタル放送マスタ送出システムがインストールされるようになってきており、その試験にかかる時間も長期化してきている。
【先行技術文献】
【非特許文献】
【０００３】
【非特許文献１】長石  敦、向山  豊彦、金田  昌之著、「地上デジタル放送マスタ送出システム」、東芝レビュー  Ｖｏｌ．５９  Ｎｏ．２（２００４）、ｐ７〜１７
【発明の概要】
【発明が解決しようとする課題】
【０００４】
放送システムの試験においては機器単体だけでなく、複数の機器の連係を確認する必要がある。また、機器の制御の正否だけでなく、放送出力された画像や音声、文字情報、番組プログラム情報（ＥＰＧ：Electronic Program Guide）の確認や、これらの出力タイミングなども確認する必要がある。さらに、複数の前提条件や制御操作において検査すべき項目など、確認すべき項目の数は非常に多い。現状では放送プログラムに沿って実時間ベースでの試験が行われているので、例えば１２時間分の放送プログラムを用いた試験ではまるまる１２時間がかかることになる。試験時間を短縮できる技術が求められている。
【０００５】
目的は、試験時間を短縮することの可能な放送システムとその試験方法およびプログラムを提供することにある。
【課題を解決するための手段】
【０００６】
実施形態によれば、放送システムは、作成部と、制御部と、試験期間短縮部とを具備する。作成部は、与えられた放送プログラムに従って放送関連機器を状態遷移させるための制御情報と当該制御情報の送出時刻とを計算し、当該放送プログラムを反映する制御スケジュールを作成する。制御部は、制御スケジュールに基づいて放送関連機器を制御する。試験期間短縮部は、試験環境下での状態遷移の時間間隔を短縮すべく、計算された制御情報の送出タイミングを可変制御する。
【図面の簡単な説明】
【０００７】
【図１】図１は、地上波デジタル放送システムの一例を示す概念図である。
【図２】図２は、実施形態に係る放送局設備の一例を示す機能ブロック図である。
【図３】図３は、図２に示される放送局設備におけるイベントの発生に伴う制御シーケンスの一例を示す図である。
【図４】図４は、データベース１２に記憶される情報および機器制御スケジューラ６１に備わる機能の一例を示す図である。
【図５】図５は、試験用の放送プログラムの一例を示す図である。
【図６】図６は、図５に示される放送プログラムを反映する制御スケジュールの一例を示す図である。
【図７】図７は、第１の実施形態における制御系６０の処理手順の一例を示すフローチャートである。
【図８】図８は、改変された制御スケジュールの一例を示す図である。
【発明を実施するための形態】
【０００８】
以下、図面を参照して本発明の実施の形態について説明する。この実施形態では、複数の放送関連機器を備える放送システムについて説明する。
【０００９】
［第１の実施形態］
図１は、地上デジタル放送システムの一例を示す概念図である。放送局１００のマスタ送出システムで作成されたトランスポートストリーム（ＴＳ）は、専用線網などの通信ネットワーク２００を経由して例えば電波塔３００まで伝送される。電波塔３００はＴＳ信号をデジタル変調してマイクロ波帯で放射する。放射された電波は各家庭４００の受像機で受信され、映像と音声が再生される。模式的に示すように、放送局１００に備えられる設備機器は大規模かつ多種多様である。
【００１０】
図２は、実施形態に係る放送局設備の一例を示す機能ブロック図である。放送局設備は、情報系１０、信号処理系２０、伝送系３０、監視系システム４０および時計ノード８０を備える。これらはＬＡＮ（Local Area Network）などの局内ネットワーク５０を介して相互接続される。このうち時計ノード８０は、各放送関連機器に対しマスタ時刻を供給する。
【００１１】
局内ネットワーク５０は、例えば、画像／音声データ、放送関連機器間で授受される制御情報や各種電文などを伝送する。
【００１２】
情報系１０は、放送情報スケジューラ１１、およびデータベース１２を備える。  
信号処理系２０は、制御系６０、スイッチャ（ＳＷ）２１、エンコーダ（ＥＮＣ）２３、ＳＩ送出部２４、ＶＢＲ２５、多重化部（ＭＵＸ）２６、およびＳＣＲ２７を備える。信号処理系２０は１系および０系を含む冗長構成をとることも可能である。
【００１３】
スイッチャ２１は、収録済み放送素材サーバ７０からの番組コンテンツやＣＭコンテンツ、文字情報、ＬＩＶＥ素材である回線素材、スタジオからの映像／音声信号、あるいは各種機材からの映像信号／音声信号／データ信号を取り込み、番組表に従って経路切換して次段のエンコーダ２３に接続する。エンコーダ２３はいわゆる符号化多重化部制御装置（ＥＭＣ：Encoder & Multiplexer Controller）であり、入力された信号の符号化及び多重化に関する制御を行う。
【００１４】
エンコーダ２３は所定の手順に従って映像信号／音声信号／データ信号を符号化し、次段の多重化部２６に入力する。多重化部２６は、エンコーダ２３からの符号化信号、ＳＩ送出部２４からのＳＩ（Service Information）信号、ＥＣＭ信号、およびＶＢＲ２５からの信号を多重化し、ＳＣＲ２７経由で、伝送系３０のストリーム切り替え部３１，３２に送出する。
【００１５】
信号処理系２０の制御系６０は、機器制御スケジューラ６１、リアルタイムコントローラ６２、およびノード（ＮＯＤＥ）６３を備える。機器制御スケジューラ６１は、放送スケジュールの制御に係わる処理を実行する。
【００１６】
リアルタイムコントローラ６２は、実時間制御に係わる処理を実行する。すなわちリアルタイムコントローラ６２は、放送プログラムに基づいて作成された制御スケジュールに基づいて、各放送関連機器を制御する。
【００１７】
ノード６３は、例えば、局内ネットワーク５０への接続インタフェース持たない機材（アナログＶＴＲなど）に接続され、局内ネットワーク５０へのインタフェース機能を提供する。これにより旧式の機材なども放送局設備の制御下に置くことができる。必要に応じてノード６３は複数設けられても良い。
【００１８】
監視系システム４０は、放送スケジュール表示、システム系統状態表示、素材・送出映像表示、機器操作などの複数の監視制御用機器とその操作機能を備える。放送スケジュール表示機能は、例えばＯＡ（オンエア）表示端末に関連する機能である。システム系統状態表示機能は、例えば監視指示端末およびアラーム端末に関連する機能である。素材・送出映像表示機能は、例えばマルチモニタに関連する機能である。機器操作機能は、例えば監視卓および監視指示端末に関連する機能である。
【００１９】
時計ノード８０は、上記の各放送関連機器に対しマスタ時刻を供給する。
【００２０】
図３は、図２に示される放送局設備におけるイベントの発生に伴う制御シーケンスの一例を示す図である。図３において、ＶＴＲ１から１０：００にオンエア（ＯＡ）データを出力するメッセージが、放送プログラム送出部９１から機器制御スケジューラ６１に与えられたとする。そうすると機器制御スケジューラ６１はリアルタイムコントローラ６２にＣＤＴメッセージを与える。
【００２１】
これを受けたリアルタイムコントローラ６２は専用電文により、ＶＴＲ−ｓｔａｒｔメッセージ（ＳＴＡＲＴ（ＰＬＡＹ））をＶＴＲ−ＮＯＤＥ９２に通知する。ＶＴＲ９３の機構的なタイムラグや制御遅延などを考慮して、ターゲット時刻より前（例えば０９:５９:５７）にＶＴＲ９３をスタートすべき指示をＶＴＲ−ｓｔａｒｔメッセージに含ませても良い。これを受けたＶＴＲ−ＮＯＤＥ９２は、ＶＴＲ９３にＰＬＡＹ指示を与えて映像再生が開始される。
【００２２】
一方、１０:００:００に、クロスポイント（Ｘｐ）切替指示がリアルタイムコントローラ６２からスイッチャ制御ＮＯＤＥ９４に与えられる。これにより、例えば色付きの電文メッセージがログに表示される（自動運行サービス制御）。
【００２３】
スイッチャ制御ＮＯＤＥ９４は、配下のスイッチャ２１にクロスポイント切替指示を与え、これに応じてスイッチャ２１はクロスポイントを切り替える（自動運行制御）。またスイッチャ２１は、自らのクロスポイントの設定状態（Ｘｐ状態）を、タリー信号としてＴＰ９５に通知する（Ｘｐ状態表示切替）。
【００２４】
図４は、データベース１２に記憶される情報および機器制御スケジューラ６１に備わる機能の一例を示す図である。データベース１２は、例えば半導体メモリなどの記憶デバイスであり、放送プログラムデータ１２ａ、制御情報データ１２ｂ、および制御ポイントデータ１２ｃを記憶する。
【００２５】
機器制御スケジューラ６１は、実施形態に係わる処理機能として放送プログラム取得部６１ａ、制御情報作成部６１ｂ、制御スケジュール作成部６１ｃ、および時刻制御可能ポイント出力部６１ｄを備える。放送プログラム取得部６１ａ、制御情報作成部６１ｂ、制御スケジュール作成部６１ｃ、および時刻制御可能ポイント出力部６１ｄは、コンピュータとしての機器制御スケジューラ６１を制御するプログラムにより実現される機能である。詳しくは、コンピュータのメモリに記憶されたプログラムに従うＣＰＵ（Central Processing Unit）の演算処理により実現される、処理機能である。
【００２６】
データベース１２の放送プログラムデータ１２ａは、いわゆる番組プログラム情報（ＥＰＧ）に相当するデータであり、時刻ごとの放送コンテンツを時系列で示すデータである。例えば試験用の放送プログラムの一例を図５に示す。放送プログラム取得部６１ａはこの放送プログラムデータ１２ａをデータベース１２から取得し、制御情報作成部６１ｂに渡す。
【００２７】
制御情報作成部６１ｂは、放送プログラムデータ１２ａに従って各放送関連機器を適切に状態遷移させるための制御情報と、その送出時刻とを計算する。作成された制御情報は送出時刻とともに制御スケジュール作成部６１ｃおよび時刻制御可能ポイント出力部６１ｄに渡される。
【００２８】
制御スケジュール作成部６１ｃは、制御情報作成部６１ｂから渡された各制御情報とその送出時刻に基づいて、放送プログラムデータ１２ａを反映する制御スケジュールを作成する。制御スケジュールは制御情報データ１２ｂとしてデータベース１２に記憶される。
【００２９】
図６は、制御スケジュールの一例を示す図である。制御スケジュールは、放送プログラムに基づいて計算された制御情報とその送出時刻とを、時系列でリストアップしたデータといえる。
【００３０】
時刻制御可能ポイント出力部６１ｄは、制御情報作成部６１ｂから渡された制御情報から、制御スケジュールにおいて制御情報の送出時刻が規定間隔を超えるポイントを抽出する。抽出されたポイントは、制御ポイントデータ１２ｃとしてデータベース１２に記憶される。
【００３１】
機器制御スケジューラ６１は、作成した制御スケジュールをリアルタイムコントローラ６２（図２）に渡す。これを受けたリアルタイムコントローラ６２は、制御スケジュールにプログラムされた制御情報（制御命令）を、その送出時刻に従って送出する。これにより各放送関連機器は、リアルタイムコントローラ６２により、制御スケジュールに基づいて制御される。
【００３２】
機器制御スケジューラ６１から制御情報を送出する際の基準となる時刻は、時計ノード８０から供給されるマスタ時刻である。つまり時計ノード８０のマスタ時刻を操作することで、制御情報の送出タイミングを自在に可変制御することができる。
【００３３】
試験という環境下では、マスタ時刻は、現実世界における実時間の時刻と必ずしも一致する必要はない。このことを逆手にとって第１の実施形態では、時計ノード８０のマスタ時刻を可能な範囲で進めることで、実時間での制御情報の送出タイミングを制御する。すなわち、リアルタイムコントローラ６２は、試験環境下での放送関連機器の状態遷移の時間間隔を短縮すべく、機器制御スケジューラ６１により計算された制御情報の送出タイミングを、さらに可変制御する。
【００３４】
またリアルタイムコントローラ６２は、ユーザの介入を要するイベントの待機期間を確保したうえで制御情報の送出タイミングを可変制御する。ユーザの介入を要するイベントとは、例えば手動操作を伴う試験項目に関するイベントであって、放送スケジュール中に明確になっている場合とそうではない場合（不確定イベント区間と称する）とがある。リアルタイムコントローラ６２は、この不確定イベント区間に関しては期間短縮を行わず、実時間で実行することで、ユーザの手動操作をし易くする。次に、上記構成を基礎として第１の実施形態における作用を説明する。
【００３５】
図７は、第１の実施形態における制御系６０の処理手順の一例を示すフローチャートである。この処理手順は、例えば放送システムの実稼働前試験に実施される。試験に際しては実運用を想定した放送プログラムが用意され、そのプログラムに従ってシステムの動作を確認することとなる。
【００３６】
図７において、先ず、試験時間範囲が設定される（ステップＳ１）。そうすると、次の制御情報および制御ポイント情報がデータベース１２から読み込まれ（ステップＳ２、Ｓ３）、さらに、試験に係わる放送時刻が設定される（ステップＳ４）。
【００３７】
次に、試験終了時間が到来したか否かが判定され（ステップＳ５）、ここでＹｅｓと判定されるまでステップＳ６〜Ｓ８を含むループが繰り返される。ループに入ると、先ず、不確定イベントの時間帯であるかどうかがマスタ時刻に基づいて判定される（ステップＳ６）。
【００３８】
不確定イベントの時間帯でなければ（Ｎｏ）、制御系６０は、次の制御時刻、つまりその時点から見て次の制御情報の送出時刻を制御ポイントデータ１２ｃから検出し（ステップＳ７）、その時刻までマスタ時刻（放送時刻）を進める。つまり制御系６０は、変数としての放送時刻に、次の制御時刻を代入する（ステップＳ８）
一方、ステップＳ６で不確定イベントの時間帯であれば（Ｙｅｓ）、制御系６０は放送時刻を進める処理をスキップしてステップＳ５の判定処理にもどる。これによりマスタ時刻は進むことなく実時間と同期した状態を保つ。
【００３９】
単純に次の制御時刻を目指してマスタ時刻を進ませると、進んだ先の制御情報単独では機器が正しく動作しないことがある。そこで、機器制御スケジューラ６１の時刻制御可能ポイント出力部６１ｄは、その制御を含む事前準備に関連する情報を事前に明確にし、ジャンプ可能な制御時刻を時刻制御可能ポイントとして検出する。この時刻制御可能ポイントは制御スケジュールに埋め込まれても良い。あるいは関連する情報を予め別途テーブル化し、ジャンプ可能な位置情報を算出できるようにしてもよい。
【００４０】
以上述べたように第１の実施形態では、制御スケジュールにおいて制御情報の送出の間隔が規定値を超えるポイントを抽出し、マスタ時刻を進めることでその期間を短縮して、試験時間全体での無駄時間を削減するようにした。これにより、試験にかかる時間を短縮することができる。
【００４１】
一般に、テレビ番組等の放送プログラムには、番組本編や、コマーシャル（以後ＣＭと呼ぶ）や文字情報（データ放送や、天気情報など）があり、これらを予め計画した放送プログラムに合わせて、様々な放送関連機器が制御される。しかし、放送プログラムの実行時間中であっても制御の空き時間、つまり制御情報が局内ネットワーク５０経由で送出されていない期間も存在する。これが積み重なると、特に試験環境下では大きな無駄時間になる。
【００４２】
これに対し第１の実施形態では、制御スケジュールに基づいて制御の空き時間を検出し、不確定イベントの期間でない場合には次の制御情報の送出時刻までマスタ時刻を進めるようにした。これにより無駄時間を効果的に削減することができる。また、不確定イベントの時間帯であればマスタ時刻を進めることはせず、不確定イベント時間帯が経過するまで待つようにする。
【００４３】
このようにリアルタイムコントローラ６２は、盲目的にではなく、いわば適応的にマスタ時刻を進ませる。従って無駄時間を効果的に削減し、トータルでの試験時間を短縮することができる。つまり、試験項目に不確定イベントが含まれていない場合にはもちろん、不確定イベントが実行された場合であっても、トータルでの試験時間を短縮することが可能になる。これらのことから、ユーザの介入の余地を残しつつ、しかも試験時間を効果的に短縮することの可能な放送システムとその試験方法、およびプログラムを提供することが可能になる。
【００４４】
［第２の実施形態］
第１の実施形態では、時計ノード８０から供給されるマスタ時刻を強制的に進ませることで、無駄時間を省くようにした。第２の実施形態では、制御スケジュールそのものを編集することで試験に置ける無駄時間を省くようにする。
【００４５】
図８は、改変された制御スケジュール、つまり制御スケジュール（圧縮版）の一例を示す図である。図６の（＊）マークで示されるイベントは、次のイベントまで３分、あるいは１０分程度の空き時間がある。そこで第２の実施形態では、機器制御スケジューラ６１は、この空き時間を削除すべく制御スケジュールを改変し、図８に示されるような制御スケジュール（圧縮版）を作成する。
【００４６】
つまり機器制御スケジューラ６１は、制御スケジュールにおける制御情報の送出時刻が規定間隔を超えるポイントを抽出し、この抽出されたポイントに係わる制御情報の送出時刻を前倒しすることで、制御スケジュールの圧縮版を作成する。図８に示される制御スケジュール（圧縮版）においては、（○）マークで示されるように、イベント間の時間間隔は１分程度に短縮されている。もちろん、第１の実施形態で述べたように、不確定イベント時間帯にかかる部分においては制御スケジュールの制御情報送出時刻を前倒ししないようにすればよい。
【００４７】
このように第２の実施形態では、放送プログラムに基づいて作成された制御スケジュールにおける無駄時間を抽出し、その結果に基づいて制御スケジュールを改変することで、無駄時間の積み重なりを防止するようにした。このようにしても、試験時間を効果的に短縮することの可能な放送システムとその試験方法、およびプログラムを提供することが可能になる。
【００４８】
なお本発明は上記実施の形態に限定されるものではない。例えば実施形態で説明したシステムおよび試験方法は、実体を伴う放送システムに適用することができることはもちろんである。さらに、コンピュータを用いた仮想環境下において構築される放送システムに対しても、上記試験方法を適用することが可能である。
【００４９】
また、実施形態に係る試験方法を実現するプログラムを、コンピュータ読み取り可能な記録媒体に記録することも可能である。この記録媒体に記録されたプログラムをコンピュータシステムに読み込ませ、実行させることにより、仮想試験システムを実現することが可能である。「コンピュータシステム」とは、ＯＳや周辺機器等のハードウェアを含むものであってもよい。
【００５０】
また「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。
【００５１】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
【００５２】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００５３】
本発明の実施形態を説明したが、この実施形態は例として提示するものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【００５４】
１０…情報系、１１…放送情報スケジューラ、１２…データベース、１２ａ…放送プログラムデータ、１２ｂ…制御情報データ、１２ｃ…制御ポイントデータ、２０…信号処理系、２１…スイッチャ、２３…エンコーダ、２４…ＳＩ送出部、２６…多重化部、３０…伝送系、３１…ストリーム切り替え部、３２…ストリーム切り替え部、４０…監視系システム、５０…局内ネットワーク、６０…制御系、６１…機器制御スケジューラ、６１ａ…放送プログラム取得部、６１ｂ…制御情報作成部、６１ｃ…制御スケジュール作成部、６１ｄ…時刻制御可能ポイント出力部、６２…リアルタイムコントローラ、６３…ノード、７０…収録済み放送素材サーバ、８０…時計ノード、９１…放送プログラム送出部、９４…スイッチャ制御ＮＯＤＥ、１００…放送局、２００…通信ネットワーク、３００…電波塔、４００…家庭。
【図１】
2018046401.tif 000003
【図２】
2018046401.tif 000004
【図３】
2018046401.tif 000005
【図４】
2018046401.tif 000006
【図５】
2018046401.tif 000007
【図６】
2018046401.tif 000008
【図７】
2018046401.tif 000009
【図８】
2018046401.tif 000010